(57)【要約】【課題】ユーザが所望する記録方式を自動的に選択して番組を記録する番組記録装置を提供すること。【解決手段】番組記録装置は、トランスポートストリームで伝送された番組を記録する。番組記録装置は、伝送されたトランスポートストリームの各ＴＳパケットから番組のジャンル情報を取得する情報取得部と、トランスポートストリームを所定の形式のデータに変換する変換部と、トランスポートストリーム又は前記所定の形式のデータを記録媒体に記録する記録部と、情報取得部、変換部及び記録部の少なくともいずれか１つを制御する制御部と、ジャンル毎の記録方式が設定されたプロファイルデータを記憶する記憶部と、を備える。制御部は、情報取得部が取得した番組のジャンル情報がプロファイルデータに設定されている場合、プロファイルデータに基づいて情報取得部、変換部及び記録部の少なくともいずれか１つを制御する。【選択図】図１
2008199578.tif 000002
【特許請求の範囲】
【請求項１】
トランスポートストリームで伝送された番組を記録する番組記録装置であって、
伝送されたトランスポートストリームの各ＴＳパケットから番組のジャンル情報を取得する情報取得部と、
前記トランスポートストリームを所定の形式のデータに変換する変換部と、
前記トランスポートストリーム又は前記所定の形式のデータを記録媒体に記録する記録部と、
前記情報取得部、前記変換部及び前記記録部の少なくともいずれか１つを制御する制御部と、
ジャンル毎の記録方式が設定されたプロファイルデータを記憶する記憶部と、を備え、
前記制御部は、前記情報取得部が取得した番組のジャンル情報が前記プロファイルデータに設定されている場合、前記プロファイルデータに基づいて前記情報取得部、前記変換部及び前記記録部の少なくともいずれか１つを制御することを特徴とする番組記録装置。
【請求項２】
請求項１に記載の番組記録装置であって、
前記プロファイルデータに設定されたジャンル毎の記録方式には、ビットレートによって示される記録モード及び前記記録媒体の種類の少なくともいずれかが設定されたことを特徴とする番組記録装置。
【請求項３】
請求項１に記載の番組記録装置であって、
前記変換部は、前記トランスポートストリームのビットレートを変換することを特徴とする番組記録装置。
【請求項４】
請求項１に記載の番組記録装置であって、
前記変換部は、前記トランスポートストリームをプログラムストリームに変換することを特徴とする番組記録装置。
【請求項５】
請求項１に記載の番組記録装置であって、
前記情報取得部は、前記トランスポートストリームを構成するエレメンタリストリームのＴＳパケットに付された識別子からエレメンタリストリームの種別を判別して、必要なエレメンタリストリームを出力し、
前記プロファイルデータに設定されたジャンル毎の記録方式には、選択されるエレメンタリストリームの種別が設定されたことを特徴とする番組記録装置。
【請求項６】
請求項１記載の番組記録装置であって、
前記記録部は、前記プロファイルデータに設定された記録させたくないジャンルが記録されようとしている場合、前記記録媒体に記録しないことを特徴とする番組記録装置。
【請求項７】
請求項５記載の番組記録装置であって、
前記記録部は、前記トランスポートストリームにマルチチャンネルが存在する場合、前記プロファイルデータと一致したジャンルの番組のみ選択して前記記録媒体に記録することを特徴とする番組記録装置。
【発明の詳細な説明】
【技術分野】
【０００１】
本発明は、ユーザが所望する記録方式を自動的に選択して番組を記録する番組記録装置に関する。
【背景技術】
【０００２】
ＭＰＥＧ−ＴＳ（MPEG Transport Stream）で伝送されるテレビ番組（以下、単に「番組」という。）を記録媒体に記録する装置は、ＭＰＥＧ−ＴＳを変換せずに所定の記録方式で番組を記録するか、番組毎に予めユーザによって設定された記録方式で番組を記録する。当該装置を利用するユーザは、所定の記録方式以外の記録方式で番組を記録したい場合、番組毎に所望の記録方式を設定しなければならない。しかし、番組毎に記録方式を設定する作業はユーザにとって負担になる。
【０００３】
特開２０００−１３７５９号公報に開示されている発明では、情報送信装置が、デジタル放送規格で規定されている番組情報等を含むＳＩ（Service Information）に、「視聴時のみ有効な情報」、「録画再生時のみ有効な情報」及び「視聴時および録画再生時に有効な情報」のいずれかを番組情報の一つとして記述し、情報受信装置が、ＳＩに含まれる番組情報を分類して処理を行う。
【０００４】
【特許文献１】特開２０００−１３７５９号公報
【発明の開示】
【発明が解決しようとする課題】
【０００５】
しかし、上記装置及び特開２０００−１３７５９号公報に開示されている発明のいずれも、番組内容に応じて自動的にユーザの所望する記録方式で番組を記録することはできない。ユーザは、所定の記録方式以外の記録方式で番組を記録したい場合、番組毎に所望の記録方式を設定しなければならない。
【０００６】
本発明の目的は、ユーザが所望する記録方式を自動的に選択して番組を記録する番組記録装置を提供することである。
【課題を解決するための手段】
【０００７】
本発明は、トランスポートストリームで伝送された番組を記録する番組記録装置であって、伝送されたトランスポートストリームの各ＴＳパケットから番組のジャンル情報を取得する情報取得部と、前記トランスポートストリームを所定の形式のデータに変換する変換部と、前記トランスポートストリーム又は前記所定の形式のデータを記録媒体に記録する記録部と、前記情報取得部、前記変換部及び前記記録部の少なくともいずれか１つを制御する制御部と、ジャンル毎の記録方式が設定されたプロファイルデータを記憶する記憶部と、を備え、前記制御部は、前記情報取得部が取得した番組のジャンル情報が前記プロファイルデータに設定されている場合、前記プロファイルデータに基づいて前記情報取得部、前記変換部及び前記記録部の少なくともいずれか１つを制御する番組記録装置を提供する。
【０００８】
上記番組記録装置では、前記プロファイルデータに設定されたジャンル毎の記録方式には、ビットレートによって示される記録モード及び前記記録媒体の種類の少なくともいずれかが設定されている。
【０００９】
上記番組記録装置では、前記変換部は、前記トランスポートストリームのビットレートを変換する。
【００１０】
上記番組記録装置では、前記変換部は、前記トランスポートストリームをプログラムストリームに変換する。
【００１１】
上記番組記録装置では、前記情報取得部は、前記トランスポートストリームを構成するエレメンタリストリームのＴＳパケットに付された識別子からエレメンタリストリームの種別を判別して、必要なエレメンタリストリームを出力し、前記プロファイルデータに設定されたジャンル毎の記録方式には、選択されるエレメンタリストリームの種別が設定されている。
【００１２】
上記番組記録装置では、前記記録部は、前記プロファイルデータに設定された記録させたくないジャンルが記録されようとしている場合、前記記録媒体に記録しない。
【００１３】
上記番組記録装置では、前記記録部は、前記トランスポートストリームにマルチチャンネルが存在する場合、前記プロファイルデータと一致したジャンルの番組のみ選択して前記記録媒体に記録する。
【発明の効果】
【００１４】
本発明に係る番組記録装置によれば、ユーザが所望する記録方式を自動的に選択して番組を記録することができる。
【発明を実施するための最良の形態】
【００１５】
以下、本発明の実施形態について、図面を参照して説明する。以下説明する実施形態の番組記録装置は、ＭＰＥＧ−ＴＳ（MPEG Transport Stream）で伝送されるテレビ番組（以下、単に「番組」という。）を記録媒体に記録する。
【００１６】
（第１の実施形態）
図１は、第１の実施形態の番組記録装置を示すブロック図である。図１に示すように、第１の実施形態の番組記録装置は、チューナ部１０１と、トランスポートデコーダ部１０３と、ＭＰＥＧ−ＴＳ変換部１０５と、ストリーム制御部１０７と、記録媒体１０９と、記憶部１１１と、ＣＰＵ１１３とを備える。
【００１７】
チューナ部１０１は、放送局等から伝送されたＭＰＥＧ−ＴＳ（MPEG Transport Stream）を受信する。ＭＰＥＧ−ＴＳは、映像や音声、テキスト等のデータが小分けにされたＴＳパケット列である。ＴＳパケットには、各ＴＳパケットの荷札の役割を持つパケットヘッダが付される。パケットヘッダは、そのＴＳパケットの種類を表すパケット識別子（ＰＩＤ）を含む。映像や音声等の各データストリームは、固有のＰＩＤを持つＴＳパケットで伝送される。このため、１つのＭＰＥＧ−ＴＳの中に複数種類のＴＳパケットが混在していても、各ＴＳパケットの種類を識別することができる。
【００１８】
なお、ＭＰＥＧ−ＴＳは、エラーが発生し得る伝送路を介した伝送を想定して設計されている。一方、ＭＰＥＧ−ＰＳ（MPEG Program Stream）は、記録媒体等間でのデータの読み書きといったエラーが発生する可能性が低い環境で扱われることを想定して設計されている。デジタル放送では劣悪な伝送環境も考慮しなければならないため、ＭＰＥＧ−ＴＳが用いられる。
【００１９】
トランスポートデコーダ部１０３は、ＭＰＥＧ−ＴＳの各ＴＳパケットから番組情報等を含むＳＩ（Service Information）を取得する。ＭＰＥＧ−ＴＳ変換部１０５は、チューナ部１０１が受信したＭＰＥＧ−ＴＳをＣＰＵ１１３から指示された形式に変換する。ＭＰＥＧ−ＴＳ変換部１０５は、ＭＰＥＧ−ＴＳを例えばＭＰＥＧ−ＰＳに変換する。ストリーム制御部１０７は、ＭＰＥＧ−ＴＳ変換部１０５によって形式変換されたデータを記録媒体１０９に記録する。記録媒体１０９は、ハードディスク（ＨＤＤ）やＤＶＤ、メモリカード等である。
【００２０】
記憶部１１１は、ユーザによって予め設定されたプロファイルデータを記憶する。プロファイルデータの詳細については後述する。なお、記憶部１１１は書き換え可能であり、ユーザはプロファイルデータを編集することができる。ＣＰＵ１１３は、トランスポートデコーダ部１０３、ＭＰＥＧ−ＴＳ変換部１０５及びストリーム制御部１０７を制御する。また、ＣＰＵ１１３は、トランスポートデコーダ部１０３で取得されたＳＩに含まれるＥＩＴ（Event Information Table）が示す番組のジャンル情報と、記憶部１１１が記憶するプロファイルデータとに基づいて、ＭＰＥＧ−ＴＳで伝送された番組の記録モード及び記録先の記録媒体を決定する。
【００２１】
図２は、第１の実施形態で用いられるプロファイルデータの記憶構造を示す図である。図２に示されるプロファイルデータでは、ジャンル毎に記録モード（ビットレート）及び記録媒体が指定されている。図２に示す例では、ニュース番組には、記録モードがＳＰモード（5Mbps）、記録媒体１０９がメモリカードに指定されている。また、アニメ番組には、記録モードがＬＰモード（3Mbps）、記録媒体１０９がＤＶＤに指定されている。また、映画番組には、記録モードがＸＰモード（10Mbps）、記録媒体１０９がハードディスク（ＨＤＤ）に指定されている。
【００２２】
なお、番組のジャンルは、番組の内容に応じて、例えば、大分類、中分類といった区分に分類しても良い。大分類として「ニュース」、「アニメ」、「映画」といった大まかなジャンルを設定し、中分類として、例えば大分類が「映画」であれば「洋画」、「邦画」といったように大分類の一ジャンルをさらに分類する。地上デジタルテレビジョン放送では、ＳＩが大分類を示す４ビットの情報と中分類を示す４ビットの情報とを含む。このため、番組のジャンルは、最大で、大分類１６種類、中分類１６種類に分類され、１６×１６＝２５６種類（未定義分類を含む）に分類される可能性がある。図２に示したプロファイルデータは段階的な分類に対応していないが、上述した大分類、中分類といった段階的な分類に対応しても良い。
【００２３】
図２に示すプロファイルデータが記憶部１１１に格納されている場合、ＭＰＥＧ−ＴＳで伝送されたニュース番組を録画する際には、ＣＰＵ１１３はプロファイルデータに基づいて当該ニュース番組をＳＰモード（5Mbps）でメモリカード（記録媒体１０９）に記録すると判断する。ＣＰＵ１１３は、当該判断に基づいて、ＭＰＥＧ−ＴＳ変換部１０５及びストリーム制御部１０７を制御する。なお、録画する番組のジャンルに対応する録画モードがプロファイルデータに設定されていない場合、ＣＰＵ１１３はチューナ部１０１が受信したＭＰＥＧ−ＴＳを形式変換せずに記録するようＭＰＥＧ−ＴＳ変換部１０５及びストリーム制御部１０７を制御する。また、録画する番組のジャンルに対応する記録媒体がプロファイルデータに設定されていない場合、ＣＰＵ１１３は所定の記録媒体（例えば、ハードディスク（ＨＤＤ））に記録する。
【００２４】
図３は、第１の実施形態の番組記録装置の動作を示すフローチャートである。図３に示すように、ステップＳ１０１では、ＣＰＵ１１３は、チューナ部１０１が受信したＭＰＥＧ−ＴＳからトランスポートデコーダ部１０３が取得したＳＩに含まれるＥＩＴから番組のジャンル情報を取得する。ステップＳ１０３では、ＣＰＵ１１３は、記憶部１１１からプロファイルデータを取得する。ステップＳ１０５では、番組のジャンル情報とプロファイルデータとを比較する。番組のジャンル情報がプロファイルデータに設定されていれば（プロファイル情報一致）、ステップＳ１０７に進む。番組のジャンル情報がプロファイルデータに設定されていなければ（プロファイル情報不一致）、ステップＳ１０９に進む。
【００２５】
ステップＳ１０７では、ＣＰＵ１１３は、プロファイルデータに基づいて、対応する記録媒体に番組を対応する記録モードで記録するよう、ＭＰＥＧ−ＴＳ変換部１０５及びストリーム制御部１０７を制御する。一方、ステップＳ１０９では、チューナ部１０１が受信したＭＰＥＧ−ＴＳを形式変換せずに所定の記録媒体（例えばＨＤＤ）に記録するよう、ＭＰＥＧ−ＴＳ変換部１０５及びストリーム制御部１０７を制御する。
【００２６】
以上説明したように、第１の実施形態によれば、ユーザが所望する記録方式を自動的に選択して番組を記録することができる。
【００２７】
（第２の実施形態）
第２の実施形態では、第１の実施形態と比較して、プロファイル情報が一致したときの動作が異なる。この点以外は第１の実施形態と同様であり、図４において、図１と共通するステップには同じ参照符号が付されている。図４は、第２の実施形態の番組記録装置の動作を示すフローチャートである。図４に示すように、ステップＳ１０５で、番組のジャンル情報とプロファイルデータのジャンル情報とを比較して、番組のジャンル情報がプロファイルデータに設定されていれば（プロファイル情報一致）、ステップＳ２０１に進む。
【００２８】
ステップＳ２０１では、ＣＰＵ１１３は、プロファイルデータに基づいて、対応する記録モードのビットレートに変換するようＭＰＥＧ−ＴＳ変換部１０５を制御する。このように、本実施形態では、ＭＰＥＧ−ＴＳ変換部１０５の記録モードを設定するのみであり、ＭＰＥＧ−ＴＳ変換部１０５からストリーム制御部１０７に送られるデータの形式はＭＰＥＧ−ＴＳであり、記録媒体１０９へもＭＰＥＧ−ＴＳが記録される。
【００２９】
以上説明したように、第２の実施形態によれば、ＭＰＥＧ−ＴＳから他の形式に変換することがないため、複数の形式のストリームを管理する必要がない。なお、第２の実施形態の番組記録装置の構成は第１の実施形態の番組記録装置の構成と略同一であるため説明を省略する。
【００３０】
（第３の実施形態）
第３の実施形態では、第１の実施形態と比較して、プロファイル情報が一致したときの動作が異なる。この点以外は第１の実施形態と同様であり、図５において、図１と共通するステップには同じ参照符号が付されている。図５は、第３の実施形態の番組記録装置の動作を示すフローチャートである。図５に示すように、ステップＳ１０５で、番組のジャンル情報とプロファイルデータのジャンル情報とを比較して、番組のジャンル情報がプロファイルデータに設定されていれば（プロファイル情報一致）、ステップＳ３０１に進む。
【００３１】
ステップＳ３０１では、ＣＰＵ１１３は、プロファイルデータに基づいて、対応する記録モードのビットレートに変換し、かつＭＰＥＧ−ＴＳからＭＰＥＧ−ＰＳに変換するようＭＰＥＧ−ＴＳ変換部１０５を制御する。このように、本実施形態では、ＭＰＥＧ−ＴＳ変換部１０５からストリーム制御部１０７に送られるデータの形式はＭＰＥＧ−ＰＳであり、記録媒体１０９にはＭＰＥＧ−ＰＳが記録される。
【００３２】
以上説明したように、第３の実施形態によれば、条件を満たした際にはＭＰＥＧ−ＴＳからＭＰＥＧ−ＰＳに変換して記録媒体に記録されるため、ＶＲ規格やＶｉｄｅｏ規格に即したフォーマットで記録することができる。なお、第３の実施形態の番組記録装置の構成は第１の実施形態の番組記録装置の構成と略同一であるため説明を省略する。
【００３３】
（第４の実施形態）
第４の実施形態では、第１の実施形態と比較して、プロファイル情報が一致したときの動作が異なる。この点以外は第１の実施形態と同様であり、図６において、図１と共通するステップには同じ参照符号が付されている。図６は、第４の実施形態の番組記録装置の動作を示すフローチャートである。図６に示すように、ステップＳ１０５で、番組のジャンル情報とプロファイルデータのジャンル情報とを比較して、番組のジャンル情報がプロファイルデータに設定されていれば（プロファイル情報一致）、ステップＳ４０１に進む。
【００３４】
ステップＳ４０１では、ＣＰＵ１１３は、プロファイルデータに基づいて、対応する記録媒体に記録するようストリーム制御部１０７を制御する。このように、本実施形態では、記録先の記録媒体を設定するのみであり、ＭＰＥＧ−ＴＳ変換部１０５からストリーム制御部１０７に送られるデータの形式はＭＰＥＧ−ＴＳである。
【００３５】
以上説明したように、第４の実施形態によれば、番組のジャンルに応じて所望の記録媒体に自動的に記録することができる。なお、第４の実施形態の番組記録装置の構成は第１の実施形態の番組記録装置の構成と略同一であるため説明を省略する。
【００３６】
（第５の実施形態）
第５の実施形態では、第１の実施形態と比較して、プロファイル情報が一致したときの動作が異なる。この点以外は第１の実施形態と同様であり、図７において、図１と共通するステップには同じ参照符号が付されている。図７は、第５の実施形態の番組記録装置の動作を示すフローチャートである。図７に示すように、ステップＳ１０５で、番組のジャンル情報とプロファイルデータのジャンル情報とを比較して、番組のジャンル情報がプロファイルデータに設定されていれば（プロファイル情報一致）、ステップＳ５０１に進む。
【００３７】
ステップＳ５０１では、ＣＰＵ１１３は、プロファイルデータに基づいて、第１の実施形態で説明したＭＰＥＧ−ＴＳ変換部１０５及びストリーム制御部１０７の制御に加えて、トランスポートデコーダ部１０３も制御する。図８は、第５の実施形態で用いられるプロファイルデータの記憶構造を示す図である。図８に示されるプロファイルデータでは、ジャンル毎に記録モード及び記録媒体が指定され、かつジャンル毎に選択されるＥＳ（Elementary Stream）の種類が指定されている。図８に示す例では、ニュース１番組には、記録モードがＳＰモード（5Mbps）、記録媒体１０９がＨＤＤに指定され、全てのＥＳを選択するよう設定されている。一方、ニュース２番組には、記録モードがＳＰモード（5Mbps）、記録媒体１０９がメモリカードに指定され、オーディオ（音のみ）のＥＳを選択するよう設定されている。
【００３８】
図８に示すプロファイルデーが記憶部１１１に格納されている場合、ＭＰＥＧ−ＴＳで伝送されたニュース２のジャンルに属する番組を録画する際には、ＣＰＵ１１３は、プロファイルデータに基づいて、当該番組のＥＳの内、オーディオＥＳのみを選択して出力するようトランスポートデコーダ部１０３を制御する。トランスポートデコーダ部１０３は、トランスポートストリームを構成するＥＳに含まれるＴＳパケットに付されたＰＩＤ（パケット識別子）からＥＳの種別（ビデオ、オーディオ等）を判別して必要なＥＳのみを出力する。また、トランスポートデコーダ部１０３は、不必要なＰＩＤをＰＭＴ（Program Map Table）から削除する。
【００３９】
（第６の実施形態）
第６の実施形態では、第１の実施形態と比較して、プロファイル情報が一致したときの動作が異なる。この点以外は第１の実施形態と同様であり、図９において、図１と共通するステップには同じ参照符号が付されている。図９は、第６の実施形態の番組記録装置の動作を示すフローチャートである。図９に示すように、ステップＳ１０５で、番組のジャンル情報とプロファイルデータのジャンル情報とを比較して、番組のジャンル情報がプロファイルデータに設定されていれば（プロファイル情報一致）、ステップＳ７０１に進む。
【００４０】
ステップＳ７０１では、ＣＰＵ１１３は、プロファイルデータに基づいて、第１の実施形態で説明したストリーム制御部１０７を制御する。図１０は、第６の実施形態で用いられるプロファイルデータの記憶構造を示す図である。図１０に示されるプロファイルデータでは、ジャンル毎に記録モード及び記録媒体が指定され、かつジャンル毎に選択される記録可否情報が指定されている。図１０に示す例では、ニュース１番組には、記録モードがＳＰモード（5Mbps）、記録媒体１０９がＨＤＤに指定され、記録が可能であるように設定されている。一方、アニメには、記録モードがＬＰモード（5Mbps）、記録媒体１０９がメモリカードに指定され、記録が不可であるように設定されている。
【００４１】
図１０に示すプロファイルデーが記憶部１１１に格納されている場合、ＭＰＥＧ−ＴＳで伝送されたアニメのジャンルに属する番組を録画する際には、ＣＰＵ１１３は、プロファイルデータに基づいて、当該番組を記録しないように１０７を制御する。
【００４２】
以上説明したように、第６の実施形態によれば、記録しても良い種別のデータのみを記録媒体に記録することができる。なお、第６の実施形態の番組記録装置の構成は第１の実施形態の番組記録装置の構成と略同一であるため説明を省略する。
【００４３】
（第７の実施形態）
第７の実施形態では、第１の実施形態と比較して、プロファイル情報が一致したときの動作が異なる。この点以外は第１の実施形態と同様であり、図１２において、図１と共通するステップには同じ参照符号が付されている。図１２は、第７の実施形態の番組記録装置の動作を示すフローチャートである。図１２に示すように、ステップＳ１０５で、番組のジャンル情報とプロファイルデータのジャンル情報とを比較して、番組のジャンル情報がプロファイルデータに設定されていれば（プロファイル情報一致）、ステップＳ８０１に進む。
【００４４】
ステップＳ８０１では、ＣＰＵ１１３は、プロファイルデータに基づいて、マルチチャンネル放送に於いて、プロファイルデータのジャンル情報と一致するジャンルの番組のみを記録するように、ＭＰＥＧ−ＴＳをパーシャルするようにトランスポートデコーダ部１０３を制御する。このように、本実施形態では、マルチチャンネルの番組をトランスポートデコーダ部１０３から記録したいジャンルのみ出力することができる
【００４５】
以上説明したように、第６の実施形態によれば、記録しても良い種別のデータのみを記録媒体に記録することができる。なお、第７の実施形態の番組記録装置の構成は第１の実施形態の番組記録装置の構成と略同一であるため説明を省略する。
【産業上の利用可能性】
【００４６】
本発明に係る番組記録装置は、ユーザが所望する記録方式を自動的に選択して番組を記録するデータ記録装置等として有用である。
【図面の簡単な説明】
【００４７】
【図１】第１の実施形態の番組記録装置を示すブロック図
【図２】第１の実施形態で用いられるプロファイルデータの記憶構造を示す図
【図３】第１の実施形態の番組記録装置の動作を示すフローチャート
【図４】第２の実施形態の番組記録装置の動作を示すフローチャート
【図５】第３の実施形態の番組記録装置の動作を示すフローチャート
【図６】第４の実施形態の番組記録装置の動作を示すフローチャート
【図７】第５の実施形態の番組記録装置の動作を示すフローチャート
【図８】第５の実施形態で用いられるプロファイルデータの記憶構造を示す図
【図９】第６の実施形態の番組記録装置の動作を示すフローチャート
【図１０】第６の実施形態で用いられるプロファイルデータの記憶構造を示す図
【図１１】第７の実施形態の番組記録装置の動作を示すフローチャート
【符号の説明】
【００４８】
１０１  チューナ部
１０３  トランスポートデコーダ部
１０５  ＭＰＥＧ−ＴＳ変換部
１０７  ストリーム制御部
１０９  記録媒体
１１１  記憶部
１１３  ＣＰＵ
【図１】
2008199578.tif 000003
【図２】
2008199578.tif 000004
【図３】
2008199578.tif 000005
【図４】
2008199578.tif 000006
【図５】
2008199578.tif 000007
【図６】
2008199578.tif 000008
【図７】
2008199578.tif 000009
【図８】
2008199578.tif 000010
【図９】
2008199578.tif 000011
【図１０】
2008199578.tif 000012
【図１１】
2008199578.tif 000013